(57)【特許請求の範囲】
【請求項１】
少なくとも一つの光導波路（ＧＵ）から光信号（ＳＩ）を受信する回路装置（ＣＲ；ＣＲ’）であって、
前記光信号（ＳＩ）を電流信号（ＩＰＤ）に変換する少なくとも一つの受光部品（ＰＤ）と、
前記受光部品（ＰＤ）から前記電流信号（ＩＰＤ）が供給される少なくとも一つのトランスインピーダンス増幅器（ＴＡ）と、
前記トランスインピーダンス増幅器（ＴＡ）のゲイン又はトランスインピーダンス（Ｒ）を制御し、特に異なるレベルの前記電流信号（ＩＰＤ）に対して所望の、例えば一定の、レベルに前記トランスインピーダンス増幅器（ＴＡ）の出力（Ｖｏｕｔ−ｄａｔａ−ａｎａｌｏｇ）の振幅を保つ少なくとも一つの自動ゲイン制御器（ＡＧ）と、
フィードバックパス（ＦＰ）に配置され、制御信号（Ｖｉｎｔ）を生成する少なくとも一つの積算器（ＩＮ）と、
前記積算器（ＩＮ）からの前記制御信号（Ｖｉｎｔ）が供給される少なくとも一つの電圧制御型電流源（ＣＳ）と、
コンパレーターとして働き、その入力側における正電圧又は負電圧に対する論理レベルをその出力側で生成する少なくとも一つのリミッタ（ＬＩ）と、
前記トランスインピーダンス増幅器（ＴＡ）と並列に配置された少なくとも一つの第２トランスインピーダンス増幅器（ＴＡ２）と、
前記第２トランスインピーダンス増幅器（ＴＡ２）に対する電圧（Ｖｏｆｆｓｅｔ）を設定する自動オフセット制御器（ＡＯ）と、
前記第２トランスインピーダンス増幅器（ＴＡ２）と前記自動オフセット制御器（ＡＯ）とに割り当てられている少なくとも一つの第２リミッタ（ＬＩ２）を備え、
前記電圧制御型電流源（ＣＳ）は、前記受光部品（ＰＤ）の出力、前記トランスインピーダンス増幅器（ＴＡ）の入力、および第２トランスインピーダンス増幅器（ＴＡ２）の入力に接続される回路装置（ＣＲ；ＣＲ’）。
【請求項２】
前記第２トランスインピーダンス増幅器（ＴＡ２）は、
−前記トランスインピーダンス増幅器（ＴＡ）に対応するか、又は、
−前記トランスインピーダンス増幅器（ＴＡ）の変倍のバージョンである請求項１に記載の回路装置。
【請求項３】
前記自動ゲイン制御器（ＡＧ）は、前記トランスインピーダンス増幅器（ＴＡ）の出力（Ｖｏｕｔ−ｄａｔａ−ａｎａｌｏｇ）の振幅を検知することにより、前記トランスインピーダンス増幅器（ＴＡ）と前記第２トランスインピーダンス増幅器（ＴＡ２）との両者に同じゲイン又は同じトランスインピーダンス（Ｒ）を設定する請求項１又は２に記載の回路装置。
【請求項４】
前記トランスインピーダンス増幅器（ＴＡ）の出力（Ｖｏｕｔ−ｄａｔａ−ａｎａｌｏｇ）の振幅を検知する少なくとも一つのピーク検出回路を更に備える請求項３に記載の回路装置。
【請求項５】
前記ピーク検出回路は前記自動ゲイン制御器（ＡＧ）の一部であるか、又は、前記自動ゲイン制御器（ＡＧ）と前記自動オフセット制御器（ＡＯ）との間で共用されている請求項４に記載の回路装置。
【請求項６】
前記トランスインピーダンス増幅器（ＴＡ）の出力（Ｖｏｕｔ−ｄａｔａ−ａｎａｌｏｇ）の振幅は前記自動オフセット制御器（ＡＯ）の入力側に供給される請求項３〜５のいずれか一項に記載の回路装置。
【請求項７】
前記トランスインピーダンス増幅器（ＴＡ）は少なくとも一つの多段式増幅器である請求項１〜６のいずれか一項に記載の回路装置（ＣＲ’）。
【請求項８】
前記第２トランスインピーダンス増幅器（ＴＡ２）は少なくとも一つの多段式増幅器である請求項１〜７のいずれか一項に記載の回路装置（ＣＲ’）。
【請求項９】
前記トランスインピーダンス増幅器（ＴＡ）の第１段（１Ｓ）の出力ノードと前記第２トランスインピーダンス増幅器（ＴＡ２）の第１段（１Ｓ２）の出力ノードとの間には短絡部（ＳＨ）が配置されている請求項７又は８に記載の回路装置（ＣＲ’）。
【請求項１０】
受光部品（ＰＤ）が少なくとも一つの光電検出器、特に少なくとも一つのフォトダイオードである請求項１〜９のいずれか一項に記載の回路装置。
【請求項１１】
前記光導波路（ＧＵ）は少なくとも一つのファイバーである請求項１〜１０のいずれか一項に記載の回路装置。
【請求項１２】
前記受光部品（ＰＤ）に割り当てられていない前記光導波路（ＧＵ）の末端は、少なくとも一つの発光部品（ＬＤ）に割り当てられており、電気的データの論理レベルを光信号（ＳＩ）に変換する少なくとも一つのドライバー（ＤＲ）が前記発光部品（ＬＤ）に対して上流に配置されている請求項１〜１１のいずれか一項に記載の回路装置。
【請求項１３】
少なくとも一つの光導波路（ＧＵ）から光信号（ＳＩ）を受信する方法であって、
−少なくとも一つの受光部品（ＰＤ）を用いて前記光信号（ＳＩ）を電流信号（ＩＰＤ）に変換する工程と、
−前記受光部品（ＰＤ）から少なくとも一つのトランスインピーダンス増幅器（ＴＡ）に前記電流信号（ＩＰＤ）を供給する工程と、
−少なくとも一つの自動ゲイン制御器（ＡＧ）を用いて、前記トランスインピーダンス増幅器（ＴＡ）のゲイン又はトランスインピーダンス（Ｒ）を制御し、特に異なるレベルの前記電流信号（ＩＰＤ）に対して所望の、例えば一定の、レベルに前記トランスインピーダンス増幅器（ＴＡ）の出力（Ｖｏｕｔ−ｄａｔａ−ａｎａｌｏｇ）の振幅を保つ工程と、
−フィードバックパス（ＦＰ）に配置される少なくとも一つの積算器（ＩＮ）を用いて制御信号（Ｖｉｎｔ）を生成する工程と、
−前記積算器（ＩＮ）から少なくとも一つの電圧制御型電流源（ＣＳ）に前記制御信号（Ｖｉｎｔ）を供給する工程と、
−少なくとも一つのリミッタ（ＬＩ）の出力側でその入力側における正電圧又は負電圧に対する論理レベルを生成する工程と、
−自動オフセット制御器（ＡＯ）を用いて、前記トランスインピーダンス増幅器（ＴＡ）と並列に配置された少なくとも一つの第２トランスインピーダンス増幅器（ＴＡ２）に対する電圧を設定する工程と、
−少なくとも一つの第２リミッタ（ＬＩ２）を前記第２トランスインピーダンス増幅器（ＴＡ２）と前記自動オフセット制御器（ＡＯ）とに割り当てる工程と、を有し、
前記電圧制御型電流源（ＣＳ）は、前記受光部品（ＰＤ）の出力、前記トランスインピーダンス増幅器（ＴＡ）の入力、および第２トランスインピーダンス増幅器（ＴＡ２）の入力に接続される方法。
【発明の詳細な説明】
【技術分野】
【０００１】
本発明は、基本的には、信号の光伝送の技術分野に関する。
【０００２】
より具体的には、請求項１の前提部に準ずる光信号を受け取るための回路装置とこれに対応する請求項１４の前提部に準ずる方法に関する。
【０００３】
本発明の範囲においては、「光」（“optical”又は“light”）という語はおよそ３８０ナノメートルからおよそ７８０ナノメートルの波長（およそ７８９テラヘルツからおよそ３８５テラヘルツの周波数に対応する）にわたる可視電磁放射の範囲のみとして理解されるものではない。
【０００４】
むしろ、「光」（“light”）又は「発光」（“light-emitting”）という語は、例えばおよそ８５０ナノメートルの波長又はおよそ３５０テラヘルツの周波数など、特に赤外（“IR”）領域（およそ２０００ナノメートル以下の波長域又はおよそ１５０テラヘルツ以上の周波数域）の不可視スペクトルも含む電磁波波長又は周波数スペクトルの全体として理解される。
【背景技術】
【０００５】
典型的な光通信システム（典型的な光リンクを示す図１や典型的な光リンク信号伝達を示す図２を参照）は、
例えばレーザーダイオードなど、そのドライバーと共に、電気的データの論理レベルを光パワーの論理レベルに変換する発光素子ＬＤと、
例えばファイバーなど光を伝える光導波路ＧＵと、
例えばフォトダイオード等の光電検出器など、トランスインピーダンス増幅器ＴＡと共に、光導波路ＧＵの末端における光を検知して光を電気信号に再変換する受光素子ＰＤと、の３つの構成を備える。
【０００６】
このようなシステムでは、基本的には、２段階の電気的データパターンＶｉｎ−ｄａｔａ−ｄｉｇｉｔａｌを送信し、受信側で複製の２段階の電気的データパターンＶｏｕｔ−ｄａｔａ−ｄｉｇｉｔａｌを回収する。光導波路ＧＵ中に入射される光（“light”又は“optical”）パワーレベルＰ１，Ｐ０（図２参照）はそれぞれ電気的レベルＶＨＩＧＨ，ＶＬＯＷに対応する。その結果、受信側で、２つの異なる光パワーレベルが受光素子ＰＤの入力側に到達することになる。これらの２つの異なる光パワーレベルは２つの異なる電流レベルＩ１，Ｉ０を生成する。
【０００７】
受光素子ＰＤで生成される電流信号ＩＰＤは電圧信号へと変換されなければならない。受光素子ＰＤにより生成される電流はトランスインピーダンス増幅器ＴＡにより、Ｖｏｕｔ−ｄａｔａ−ａｎａｌｏｇ＝Ｒ×Ｉｉｎ−ｍａｉｎ（Ｒはトランスインピーダンス増幅器ＴＡのゲイン又はトランスインピーダンス）の関係に従って、電圧に変換される。
【０００８】
フィードバックパスＦＰにある積分器ＩＮは受光素子ＰＤから流れてくる平均入力電流を差し引くための制御信号Ｖｉｎｔを生成する。これにより、リミッタＬＩの入力側においてゼロ交差が生まれる。リミッタＬＩはコンパレーターとして働き、その入力側における正（負）電圧に対してＶＨＩＧＨ（ＶＬＯＷ）の論理レベルをその出力側で生成する。自動ゲイン制御ブロックＡＧはトランスインピーダンス増幅器のゲインＲを制御して、トランスインピーダンス増幅器ＴＡに対する入力となるであろう異なるＩＰＤの電流レベルに対して振幅Ｖｏｕｔ−ｄａｔａ−ａｎａｌｏｇを所望のレベル（例えば一定）に保つ。
【０００９】
別の低速信号が送信側から受信側に送信される場合、送信側における状態変更を受信側に送信することが可能になっている。これは、例えば、ＰＣＩ  Ｅｘｐｒｅｓｓ基準におけるＥＩＯＳ（“Electrical Idle Ordered Set”、データリンク層パケットの一種）状態からＥＩＥＯＳ（“Electric Idle Exit Ordered Set”）状態への変更であってもよい。
【００１０】
新たな信号に対しては別の光リンクを用いることもできる。しかし、追加の装置と追加の電力が必要であるため、とてもコストが嵩む。また、追加的な光リンク一式を用いることが全く選択できない場合もある。
【００１１】
別の低速（“slow”）信号が同じ光リンクで送信される場合、即ち、高速信号と低速信号とで同じ光学要素（物理媒体）を共用している場合、２つの信号の間を区別することが可能となるように、光パワーレベルＰ１，Ｐ０とは異なる第３の光パワーレベルＰ２が送信されるが、そうすると多段レベルの信号伝達が必要となる。
【発明の概要】
【発明が解決しようとする課題】
【００１２】
先行技術の概要を考慮するとともに上述の不利益と技術的問題とを発端とする本発明の目的は、上述のタイプの回路装置と方法とを、多段レベルの光リンクが提供できるようにさらに改良することにある。
【課題を解決するための手段】
【００１３】
この目的は、請求項１の特徴を備えた回路装置及び請求項１４の特徴を備えた方法により達成される。本発明の有益な実施形態や更なる目的にかなった発展形態はその従属項により特徴づけられる。
【００１４】
本発明によれば、少なくとも一つの光導波路から光信号を受信する回路装置は、
前記光信号を電流信号に変換する少なくとも一つの受光部品と、
前記受光部品から前記電流信号が供給される少なくとも一つのトランスインピーダンス増幅器と、
前記トランスインピーダンス増幅器のゲイン又はトランスインピーダンスを制御し、特に異なるレベルの前記電流信号に対して所望の、例えば一定の、レベルに前記トランスインピーダンス増幅器の出力の振幅を保つ少なくとも一つの自動ゲイン制御器と、
フィードバックパスに配置され、制御信号を生成する少なくとも一つの積算器と、
前記積算器からの前記制御信号が供給される少なくとも一つの電圧制御型電流源と、
コンパレーターとして働き、その入力側における正電圧又は負電圧に対する論理レベルをその出力側で生成する少なくとも一つのリミッタと、
前記トランスインピーダンス増幅器と並列に配置された少なくとも一つの第２トランスインピーダンス増幅器と、
前記第２トランスインピーダンス増幅器に対する電圧を設定する自動オフセット制御器と、を備える。
【００１５】
これに対応するように、回路装置は、少なくとも一つの光導波路から光信号を受信する次の方法に従って動作する；
−少なくとも一つの受光部品を用いて前記光信号を電流信号に変換する工程と、
−前記受光部品から少なくとも一つのトランスインピーダンス増幅器に前記電流信号を供給する工程と、
−少なくとも一つの自動ゲイン制御器を用いて、前記トランスインピーダンス増幅器のゲイン又はトランスインピーダンスを制御し、特に異なるレベルの前記電流信号に対して所望の、例えば一定の、レベルに前記トランスインピーダンス増幅器の出力の振幅を保つ工程と、
−フィードバックパスに配置される少なくとも一つの積算器を用いて制御信号を生成する工程と、
−前記積算器から少なくとも一つの電圧制御型電流源に前記制御信号を供給する工程と、
−少なくとも一つのリミッタの出力側でその入力側における正電圧又は負電圧に対する論理レベルを生成する工程と、
−自動オフセット制御器を用いて、前記トランスインピーダンス増幅器と並列に配置された少なくとも一つの第２トランスインピーダンス増幅器に対する電圧を設定する工程と、を有する方法。
【００１６】
本発明の有益な実施形態によれば、少なくとも一つの第２リミッタが前記第２トランスインピーダンス増幅器と前記自動オフセット制御器とに割り当てられている。
【００１７】
本発明の目的にかなった実施形態によれば、前記第２トランスインピーダンス増幅器は、
−前記トランスインピーダンス増幅器に対応するか、又は、
−前記トランスインピーダンス増幅器の変倍のバージョンである。
【００１８】
本発明の好ましい実施形態によれば、前記自動ゲイン制御器は、前記トランスインピーダンス増幅器の出力の振幅を検知することにより、前記トランスインピーダンス増幅器と前記第２トランスインピーダンス増幅器との両者に同じゲイン又は同じトランスインピーダンスを設定する。
【００１９】
本発明の好適な実施形態によれば、前記トランスインピーダンス増幅器の出力の振幅を検知する少なくとも一つのピーク検出回路が設けられている。
【００２０】
本発明の有益な実施形態によれば、前記ピーク検出回路は前記自動ゲイン制御器の一部であるか、又は、前記自動ゲイン制御器と前記自動オフセット制御器との間で共用されている。
【００２１】
本発明の目的にかなった実施形態によれば、前記トランスインピーダンス増幅器の出力の振幅は前記自動オフセット制御器の入力側に供給される。
【００２２】
本発明の好ましい実施形態によれば、前記トランスインピーダンス増幅器は少なくとも一つの多段式増幅器である。
【００２３】
本発明の好適な実施形態によれば、前記第２トランスインピーダンス増幅器は少なくとも一つの多段式増幅器である。
【００２４】
本発明の有益な実施形態によれば、前記トランスインピーダンス増幅器の第１段の出力ノードと前記第２トランスインピーダンス増幅器の第１段の出力ノードとの間には短絡部が配置されている。
【００２５】
本発明の目的にかなった実施形態によれば、受光部品が少なくとも一つの光電検出器、特に少なくとも一つのフォトダイオードである。
【００２６】
本発明の好ましい実施形態によれば、前記光導波路は少なくとも一つのファイバーである。
【００２７】
本発明の好適な実施形態によれば、前記受光部品に割り当てられていない前記光導波路の末端は、少なくとも一つの発光部品に割り当てられており、電気的データの論理レベルを光信号に変換する少なくとも一つのドライバーが前記発光部品に対して上流に配置されている。
【００２８】
本発明は、最終的には、データ信号や状態信号の光送信のための前述されたタイプに従った少なくとも一つの回路装置や方法の利用に関する。
【００２９】
既に前述されてきたように、有益な手法により本発明の教示を構成し、さらに発展させる様々な可能性が有る。そのため、一方では請求項１に従属する請求項による実施例が示され、他方では、本発明のさらなる実施形態、特徴、及び、利点が図３〜５に示されている典型例に関連してこの後でとりわけ詳細に説明される。
【図面の簡単な説明】
【００３０】
【図１】先行技術の方法により動作する先行技術による装置回路の例を示す回路図
【図２】図１の回路装置の先行技術による信号伝達の例を示す比較図
【図３】本発明の方法により動作する本発明による装置回路の第１実施例を示す回路図
【図４】図３の回路装置の信号伝達の典型例を示す比較図
【図５】本発明の方法により動作する本発明による装置回路の第２実施例を示す回路図
【００３１】
図１〜５では、同じ又は同様の実施形態、要素、又は、特徴は同じ符号が与えられている。
【発明を実施するための形態】
【００３２】
不必要な反復を避けるため、特に断りのない限り、本発明の実施形態、特徴、及び、利点に関する後述の説明は、図３，４に示されている第１実施形態の回路装置ＣＲと、図５に示されている第２実施形態の回路装置ＣＲ´の両者に関する。
【００３３】
典型的な光通信システム（典型的な光リンクを示す図１や典型的な光リンク信号伝達を示す図２を参照）は［背景技術］の章において説明した。不必要な反復を避けるため、［背景技術］の章における説明は、参照することにより本発明に関する本章［発明を実施するための形態］に組み込まれる。特に、
−図１に関する［背景技術］の章における説明は、参照することにより図３や図５に関する本章［発明を実施するための形態］に組み込まれる。
−図２に関する［背景技術］の章における説明は、参照することにより図４に関する本章［発明を実施するための形態］に組み込まれる。
【００３４】
本発明に照らすとともに図１に示される典型的な光リンクと比較すると、信号Ｖｉｎ−ｓｔａｔｕｓ−ｄｉｇｉｔａｌは送信側に入力される。Ｖｉｎ−ｓｔａｔｕｓ−ｄｉｇｉｔａｌは広い時間間隔の短いパルスからなる遅い（“slow”）信号である。Ｖｉｎ−ｓｔａｔｕｓ−ｄｉｇｉｔａｌの遷移速度はＶｉｎ−ｄａｔａ−ｄｉｇｉｔａｌの遷移速度に比べ極めて低い。
【００３５】
図４（本発明の好ましい実施形態に従う光リンク信号伝達）の信号リストに示されるように、高速信号Ｖｉｎ−ｄａｔａ−ｄｉｇｉｔａｌを伴うＶｉｎ−ｓｔａｔｕｓ−ｄｉｇｉｔａｌは、送信される光信号を変調する。光パワーＰ２はＰ１より高く設定され、受信電流Ｉ２，Ｉ１がＩ２≧２×Ｉ１の関係を満たす。
【００３６】
第２トランスインピーダンス増幅器ＴＡ２はトランスインピーダンス増幅器ＴＡの複製としてもよく、又は、第２トランスインピーダンス増幅器ＴＡ２はトランスインピーダンス増幅器ＴＡを厳密に変倍したバージョンのものとしてもよい。自動ゲイン制御ブロックＡＧは、ピーク検出回路を用いテランスインピーダンス増幅器ＴＡのＶｏｕｔ−ｄａｔａ−ａｎａｌｏｇの振幅のみを検知することにより、トランスインピーダンス増幅器ＴＡと第２トランスインピーダンス増幅器ＴＡ２との両者に同じゲイン又は同じトランスインピーダンスＲを設定する。このピーク検出回路は自動ゲイン制御器ＡＧの一部とするか、又は、自動ゲイン制御器ＡＧと自動オフセット制御器ＡＯとの間で共用させることができる。
【００３７】
自動オフセット制御器ＡＯは第２トランスインピーダンス増幅器ＴＡ２に対する電圧Ｖｏｆｆｓｅｔを、例えばＲ×（Ｉ１−Ｉ０）／２などに設定する。Ｖｏｆｆｓｅｔの値はＩ２とは独立で、その値についての情報はＶｏｕｔ−ｄａｔａ−ａｎａｌｏｇのみから抽出される。例えば、Ｖｏｆｆｓｅｔをその振幅の倍に設定すれば、Ｖｏｆｆｓｅｔ＝Ｒ×（Ｉ１−Ｉ０）／２が達成される。
【００３８】
再度、振幅Ｖｏｕｔ−ｄａｔａ−ａｎａｌｏｇがピーク検出回路で計測可能である。ピーク検出回路は自動オフセット制御器ＡＯの一部とするか、又は、自動オフセット制御器ＡＯと自動ゲイン制御ブロックＡＧとの間で共用させることができる。Ｖｏｆｆｓｅｔの制御を閉フィードバックループとするのに、Ｖｏｕｔ−ｓｔａｔｕｓ−ａｎａｌｏｇの平均値が−Ｖｏｆｆｓｅｔであることから、Ｖｏｕｔ−ｓｔａｔｕｓ−ａｎａｌｏｇが自動オフセット制御ブロックＡＯのためのフィードバック信号として用いられる。平均化回路は自動オフセット制御ブロックＡＯの一部となっている。
【００３９】
リンク操作として、初期段階の間、高速のＶｉｎ−ｄａｔａ−ｄｉｇｉｔａｌ信号のみが送信される。Ｖｉｎ−ｓｔａｔｕｓ−ｄｉｇｉｔａｌ信号はこの段階においては低く維持される。また、この初期段階の間に、自動ゲイン制御器ＡＧと自動オフセット制御器ＡＯとの出力はその最終値が定まる。これら２つのループの時定数はＶｉｎ−ｓｔａｔｕｓ−ｄｉｇｉｔａｌ信号の連続する２つのパルスの間の時間距離に比べ極めて小さくなる。
【００４０】
この初期段階の後でのみ、Ｖｉｎ−ｓｔａｔｕｓ−ｄｉｇｉｔａｌ信号が送信される。Ｖｉｎ−ｓｔａｔｕｓ−ｄｉｇｉｔａｌ信号が低いときは、Ｖｏｕｔ−ｄａｔａ−ｄｉｇｉｔａｌ信号はＶｉｎ−ｄａｔａ−ｄｉｇｉｔａｌ信号に従う。Ｖｉｎ−ｓｔａｔｕｓ−ｄｉｇｉｔａｌ信号が高いときは、送信される光パワーは、Ｖｉｎ−ｄａｔａ−ｄｉｇｉｔａｌ信号の値とは独立して、常にＰ２となる。結果として、Ｖｏｕｔ−ｄａｔａ−ｄｉｇｉｔａｌ信号はＶｉｎ−ｄａｔａ−ｄｉｇｉｔａｌ信号の値から独立して高くなるであろう。希望通り、Ｖｏｕｔ−ｓｔａｔｕｓ−ｄｉｇｉｔａｌも高くなる。
【００４１】
受信側の信号対雑音比の改善に関して、第２トランスインピーダンス増幅器ＴＡ２が多段式増幅器である場合に、信号対雑音比を改善するために、図５に示されるように、第１トランスインピーダンス増幅器ＴＡの第１段の出力ノードと第２トランスインピーダンス増幅器ＴＡ２の第１段の出力ノードとの間に短絡部を配置することができる。
【００４２】
このように短絡させることは所望の信号を得ることにおいて何らの影響も与えない。短絡させない場合に比べて総雑音パワーが降下するのみである。その結果、受信側において信号対雑音比の改善が達成される。
【００４３】
上記で提案した装置及び方法を用いることによって、同じ物理的光リンクを共用し、且つ多段式の信号伝達を用いることにより、遅い（”slow”）信号が確実に送信できる。
【符号の説明】
【００４４】
ＡＧ    自動ゲイン制御器又は自動トランスインピーダンス制御器
ＡＯ    自動オフセット制御器
ＣＲ    回路装置（図３の第１実施例）
ＣＲ´    回路装置（図５の第２実施例）
ＣＳ    電流源、特に電圧制御型電流源
ＤＲ    ドライバー
ＦＰ    フィードバックパス
ＧＮＤ    基準電位、特にアース電位、接地電位、又は、ゼロ電位
ＧＵ    光導波路、特にファイバー
ＩＮ    積算器
ＩＤＣ    電流源ＣＳの入力側
Ｉｉｎ−ｍａｉｎ    トランスインピーダンス増幅器の入力側
Ｉｉｎ−ｒｅｐ    第２トランスインピーダンス増幅器ＴＡ２の入力側
ＩＰＤ    電流信号
ＬＤ    発光部品、特にレーザーダイオード
ＬＩ    リミッタ、特に第１リミッタ
ＬＩ２    第２リミッタ
ＰＤ    受光部品、特に光電検出器、例えばフォトダイオード
Ｒ    トランスインピーダンス増幅器ＴＡのゲイン又はトランスインピーダンス
ＳＨ    短絡部
ＳＩ    光信号
ＴＡ    トランスインピーダンス増幅器、特に第１トランスインピーダンス増幅器
ＴＡ２    第２トランスインピーダンス増幅器
Ｖｉｎ−ｄａｔａ−ｄｉｇｉｔａｌ    ドライバーＤＲの入力、特にデータ入力
Ｖｉｎ−ｓｔａｔｕｓ−ｄｉｇｉｔａｌ    ドライバーＤＲの入力、特に状態入力
Ｖｉｎｔ    制御信号又は積算器ＩＮの出力
Ｖｏｆｆｓｅｔ    第２トランスインピーダンス増幅器ＴＡ２に対する電圧
Ｖｏｕｔ−ｄａｔａ−ａｎａｌｏｇ    トランスインピーダンス増幅器ＴＡの出力
Ｖｏｕｔ−ｄａｔａ−ｄｉｇｉｔａｌ    リミッタＬＩの出力
Ｖｏｕｔ−ｓｔａｔｕｓ−ａｎａｌｏｇ    第２トランスインピーダンス増幅器ＴＡ２の出力
Ｖｏｕｔ−ｓｔａｔｕｓ−ｄｉｇｉｔａｌ    第２リミッタＬＩ２の出力
１Ｓ    トランスインピーダンス増幅器ＴＡの第１段
１Ｓ２    第２トランスインピーダンス増幅器ＴＡ２の第１段
２Ｓ    トランスインピーダンス増幅器ＴＡの第２段又はそれ以上
２Ｓ２    第２トランスインピーダンス増幅器ＴＡ２の第２段又はそれ以上
【図１】
0006437530.tif 000002
【図２】
0006437530.tif 000003
【図３】
0006437530.tif 000004
【図４】
0006437530.tif 000005
【図５】
0006437530.tif 000006